(57)【要約】【課題】メディアの種別を意識すること無く視聴者が放送番組に対して一元的な購入システムを提供でき、ネットワーク上の著作権保護システムに対する安全性の向上を実現するデジタル放送受信装置を提供する。【解決手段】電波を介した放送番組を受信する電波放送受信手段と、ネットワークを介した放送番組を受信するネットワーク放送受信手段と、放送番組のスクランブルを解除するスクランブル解除手段と、スクランブル解除に使用した鍵データを蓄積する購入履歴管理手段と、を備えることを特徴とする。【選択図】図１
2006041981.tif 000002
【特許請求の範囲】
【請求項１】
電波を介した放送番組を受信する電波放送受信手段と、ネットワークを介した放送番組を受信するネットワーク放送受信手段と、放送番組のスクランブルを解除するスクランブル解除手段と、スクランブル解除に使用した鍵データを蓄積する購入履歴管理手段と、前記購入履歴管理手段に蓄積した鍵データを使用して、前記電波法送受信手段あるいは前記ネットワーク放送受信手段により受信した放送番組のスクランブルを、前記スクランブル解除手段により解除することを行う制御手段を備えたデジタル放送受信機。
【発明の詳細な説明】
【技術分野】
【０００１】
本発明は、電波やネットワーク等の多用なメディアの放送番組を視聴する際に使用する著作権保護情報を一元的に扱うことのできるデジタル放送受信機に関するものである。
【背景技術】
【０００２】
近年、家庭において、地上波、放送衛星（ＢＳ：Ｂｒｏａｄｃａｓｔ  Ｓａｔｅｌｌｉｔｅ）、通信衛星（ＣＳ：Ｃｏｍｍｕｎｉｃａｔｉｏｎ  Ｓａｔｅｌｌｉｔｅ）、インターネット等の種々のメディアを介した放送、配信によるテレビ番組の提供サービスを受けることが可能になっている。また、各種のデジタル放送やデジタル配信等の普及に伴い、各種メディアを区別することなく扱う放送受信機も一般家庭に普及し始めている（例えば、特許文献１、特許文献２参照）。
【０００３】
視聴者はテレビ受信機やセットトップボックス（ＳＴＢ：Ｓｅｔ  Ｔｏｐ  Ｂｏｘ）等を設置して地上波、放送衛星、通信衛星、インターネット等を受信することにより、各種メディアの放送番組を番組情報閲覧および選局を一元的に行うことができる。
【特許文献１】特開２００３−２９８９６２号公報
【特許文献２】特開２００３−３０４２３１号公報
【発明の開示】
【発明が解決しようとする課題】
【０００４】
従来における受信機では、有料の放送番組に対してメディアの区別なく番組を購入することができなかった。
【０００５】
このように視聴者は所定のメディアを介して有料番組を購入して視聴や録画をすることはできるものの、メディアの多様化に伴いメディア毎に有料番組を購入する必要があり、有料番組の購入の操作が煩雑になってしまうという問題を有していた。
【０００６】
さらに電波を介した放送では送信しても比較的安全であったスクランブル解除用の鍵データも、ネットワークを介して送信した場合は傍受、解読の危険性が電波と比較すると高い。
【０００７】
本発明は、上述した問題を解決するためになされたものであり、メディアの種別を意識することなく視聴者が一元的に有料番組の購入が可能なデジタル放送受信機を提供することとともに、ネットワークを介した有料番組のスクランブル暗号に対する安全性の向上を目的とする。
【課題を解決するための手段】
【０００８】
本発明のデジタル放送受信機は、電波を介した放送番組を受信する電波放送受信手段と、ネットワークを介した放送番組を受信するネットワーク放送受信手段と、放送番組のスクランブルを解除するスクランブル解除手段と、スクランブル解除に使用した鍵データとメタデータを蓄積する購入履歴管理手段という構成を備えたものである。
【発明の効果】
【０００９】
電波を介した放送番組を受信する電波放送受信手段と、ネットワークを介した放送番組を受信するネットワーク放送受信手段と、放送番組のスクランブルを解除するスクランブル解除手段と、スクランブル解除に使用した鍵データとメタデータを蓄積する購入履歴管理手段と、を設けることにより、メディアの種別を意識することなく視聴者が一元的に有料番組の購入が可能なデジタル放送受信機を提供することができる。さらに、スクランブルの暗号システムの安全性の向上が可能となる。
【発明を実施するための最良の形態】
【００１０】
（実施の形態１）
実施の形態１では、デジタル放送受信機の基本的な構成について説明する。
【００１１】
図１は、実施の形態１に係るデジタル放送受信機の構成を示すブロック図である。本図に示すように、デジタル放送受信機１は、電波放送受信手段としての電波放送チューナ２と、ネットワーク通信手段３と、ネットワーク放送受信手段４と、制御手段５と、ＡＶ（Ａｕｄｉｏ−Ｖｉｓｕａｌ）機器入出力手段６と、スクランブル解除手段７と、購入履歴管理手段８と、を備える。
【００１２】
電波放送チューナ２は、制御手段５の制御の下に電波を介して放送番組（以下、電波放送番組という。）を受信して選局するとともに、選局した電波放送番組の内容をスクランブル解除手段７を通して、ＡＶ機器入出力手段６に出力する手段である。なお、電波放送チューナ２により受信される電波放送番組は、地上波を介した番組および衛星放送波を介した番組を含むものであっても良い。なお、放送には、放送衛星（ＢＳ）または通信衛星（ＣＳ）を含むものとする。
【００１３】
また、電波放送チューナ２は、番組の内容をスクランブル解除手段７に出力するとともに、番組の課金情報やメタデータを制御手段５に出力する。ネットワーク通信手段３は、ネットワーク上の図示しない装置をデジタル放送受信機１に通信可能に接続するためのインタフェース等の通信手段である。本ネットワーク通信手段３を備えることにより、デジタル放送受信機１は、ネットワーク上の図示しない装置から情報を受信するだけでなく、受信または生成した所定の情報をネットワーク上の図示しない装置に送信することも可能である。また、ネットワーク通信手段３は、電気回線、光ファイバその他の通信媒体にも通信可能に接続できるものとする。
【００１４】
ネットワーク放送受信手段４は、制御手段５の制御の下にネットワーク通信手段３経由によりネットワークを介した放送番組（以下、ネットワーク放送番組という。）やコンテンツ等を受信するとともに、受信したネットワーク放送番組やコンテンツ等の内容をスクランブル解除手段７を通してＡＶ機器入出力手段６に出力する手段である。なお、ネットワーク放送番組は、インターネット放送番組および有線放送番組を含むのもであっても良い。また、上記ネットワーク放送受信手段４は、制御手段５の制御の下に、ネットワーク通信手段３を介して番組課金情報を取得し、制御手段５に出力する。
【００１５】
制御手段５は、電波放送チューナ２あるいはネットワーク放送受信手段４によって番組受信の制御を行い、また放送番組の課金情報、番組メタデータを入力する手段である。さらに、スクランブル解除手段との鍵データの入出力および購入履歴管理手段８との課金情報、番組メタデータ、鍵データの入出力を行う。スクランブル解除手段７は、電波放送チューナ２により出力された電波放送番組の内容またはネットワーク放送受信手段４により出力されたネットワーク放送番組の内容にスクランブルがかかっていた場合、スクランブルを解除する手段である。
【００１６】
スクランブル解除手段７は、放送番組のスクランブルを解除する鍵データと、スクランブル解除に必要な鍵データと、受信機ごとに異なる鍵データと、によって暗号化され、復号する限定受信システム（ＣＡＳ：Ｃｏｎｄｉｔｉｏｎａｌ  Ａｃｃｅｓｓ  Ｓｙｓｔｅｍ）によるスクランブルを解除する手段であっても良い。鍵データは後述の購入履歴管理手段８に蓄積され、必要な時に使用することができる。その場合、鍵データを放送電波もしくはネットワークを介してデジタル放送受信機に送出する必要がないので、鍵データは第三者に傍受されない。そのため、スクランブルで使用している暗号の安全性が向上する。
【００１７】
購入履歴管理手段８は、電波放送チューナ２により出力された電波放送番組の内容、またはネットワーク放送受信手段４により出力されたネットワーク放送番組の内容にスクランブルがかかっていた場合に、スクランブル解除手段７でスクランブルを解除した際に使用した情報を蓄積する。蓄積する情報には、放送番組のタイトル、出演者、放送を視聴した日時などの番組のメタデータと番組課金情報および放送番組のスクランブル解除のための鍵データを蓄積する。なお、鍵データはＡＲＩＢで規定するＥＣＭ（Ｅｎｔｉｔｌｅｍｅｎｔ  Ｃｏｎｔｒｏｌ  Ｍｅｓｓａｇｅ）でも良い。ＡＶ機器入出力手段６は、スクランブル解除手段７により出力された放送番組のないようをデジタル放送受信機１の外部の装置に出力するためのインタフェースを含む入出力手段である。
【００１８】
上記構成を備えたデジタル放送受信機を用いて番組を購入して視聴するまでの各処理の流れをフローチャートとして図２に示す。
【００１９】
ステップＳ１では、電波放送受信手段２が放送電波を介して放送番組とその番組のメタデータ、課金情報を含むデータを取得する。放送はＡＲＩＢ（電波産業会）の規格に従い送信されており、有料番組は限定受信システム（ＣＡＳ：Ｃｏｎｄｉｔｉｏａｎｌ  Ａｃｃｅｓｓ  Ｓｙｓｔｅｍ）の方式でスクランブルがかけられている。放送はＭＰＥＧ２−ＴＳ（Ｔｒａｎｓｐｏｒｔ  Ｓｔｒｅａｍ）で送出される。１つのＴＳパケットごとにスクランブルを解除するためのデータとして１つのＥＣＭセクションが入る。すなわちＥＣＭは放送番組とともに電波放送受信手段２が取得する。そのときＥＭＣを識別するためのＥＣＭ識別ＩＤが含まれていても良い。含まれていない場合は、番組のメタデータに含まれているオリジナルネットワークＩＤ、トランスポートストリームＩＤ、サービスＩＤ、イベントＩＤ、放送年月日日時によってＥＭＣを識別することが可能である。
【００２０】
ステップＳ２では、電波放送受信手段２が取得したＥＣＭを制御手段５が解析して、放送番組にスクランブルがかかっているか否かを判定する。スクランブルがかかっていればステップＳ４に進み、スクランブルがかかっていなければステップＳ９に進む。
【００２１】
ステップＳ４では、ステップＳ１で取得した放送番組のスクランブルの解除が可能か否かを判定する。なお、判定はユーザーの契約状況を確認して未契約であったら、ＡＶ機器出力手段６を通してユーザーに契約の有無を選択させても良い。録画予約の設定時などあらかじめユーザーの契約意志を確認済みであれば、それにしたがって判定しても良い。スクランブル解除を行うことが可能な状態であれば、ステップＳ５に進む。スクランブル解除を行うことが不可能な状態であれば、放送番組を出力することなく終了する。
【００２２】
ステップＳ６では、ステップＳ１で取得した放送番組のスクランブルを解除するのに使用するＥＣＭを、ステップＳ１で取得したＥＣＭ識別ＩＤもしくはオリジナルネットワークＩＤなどのＥＣＭを識別するためのメタデータとともに、購入履歴管理手段８に蓄積する。図３に購入履歴管理手段８に蓄積する情報の例を示す。なお、ＥＣＭは１ＴＳパケットに１つのＥＣＭセクションがあるため、時間とともに情報量が膨大になる可能性があり、適宜、圧縮して蓄積しても良い。
【００２３】
ステップＳ８では、ステップＳ１で取得した放送番組のスクランブルをＥＣＭの鍵データにより解除する。ステップＳ９では、ステップＳ８でスクランブルを解除した放送番組をＡＶ機器出力手段６により図示しない映像表示装置へと出力する。
【００２４】
なお、本実施形態においては、放送電波より電波放送受信手段２が取得した番組のメタデータにネットワーク上の放送番組の所在を示すＵＲＬ（Ｕｎｉｆｏｒｍ  Ｒｅｓｏｕｒｃｅ  Ｌｏｃａｔｏｒ）が含まれていても良い。その場合、デジタル放送受信機１の所定の記憶装置にＵＲＬと番組のメタデータを保存しておくことにより、ネットワークから放送番組を即時に取得可能になる。
【００２５】
また、ＡＶ機器出力手段６の先に図示しない録画装置が接続されていて、放送番組の録画が失敗に終わった場合、電波放送受信手段２が取得した前記ＵＲＬと、購入履歴管理８に蓄積されているメタデータとスクランブル解除用の鍵データを用いて、ネットワーク上の放送番組をネットワーク放送受信手段４により取得して、スクランブル解除手段７によりスクランブルを解除し、ＡＶ機器出力手段６により図示しない録画装置もしくは映像表示装置に放送番組を出力しても良い。
【００２６】
次に実施の形態１のデジタル放送受信機を用いて、ネットワークを介して放送を受信して視聴するまでの各処理の流れをフローチャートとして図３に示す。
【００２７】
ステップＳ１１では、ネットワーク放送受信手段４が、放送電波またはネットワーク通信手段３を介して放送番組とその番組のメタデータ、課金情報を含むデータを取得する。ネットワークでは電波のデジタル放送に比べて傍受が容易なため、スクランブルされた放送番組と対のＥＣＭを同時に送信することでスクランブルの暗号が解読される恐れがある。そのためスクランブルされた放送番組のみ送信して、解除に必要なＥＣＭは送信しない場合を想定する。その場合、ＥＣＭを識別するための専用のＩＤを同時に送信するか、もしくは番組のメタデータにオリジナルネットワークＩＤ、トランスポートストリームＩＤ、サービスＩＤ、イベントＩＤ、放送年月日日時を含めることによりＥＭＣの識別が可能となる。
【００２８】
ステップＳ１２では、ネットワーク放送受信手段４が取得した放送番組あるいは番組のメタデータを制御手段５が解析して、放送番組にスクランブルがかかっているか否かを判定する。スクランブルがかかっていればステップＳ１３に進み、スクランブルがかかっていなければステップＳ１９に進む。ステップＳ１３では、購入履歴管理手段８に蓄積されているスクランブル解除用のＥＣＭの中から、取得した放送番組のスクランブルを解除できるＥＣＭがあるか否かを判定する。判定には、図２のステップＳ６で蓄積した情報を使用する。すなわち、ＥＣＭ識別ＩＤとＥＭＣを蓄積していた場合は、ステップＳ１１で取得したＥＭＣ識別ＩＤによって、購入履歴管理手段８に蓄積されているＥＣＭを検索することができる。あるいは、ＥＣＭを識別するためのオリジナルネットワークＩＤなどのメタデータとＥＣＭを蓄積していた場合は、ステップＳ１１で取得したメタデータによって購入履歴管理手段８に蓄積されているＥＣＭを検索することができる。取得した放送番組のスクランブルを解除できるＥＣＭがあると判定された場合は、ステップＳ１７に進む。取得した放送番組のスクランブルを解除できるＥＣＭがないと判定された場合は、放送番組を出力することなく終了する。
【００２９】
ステップＳ１７では、制御手段５が、購入履歴管理手段８に蓄積されているスクランブル解除用のＥＣＭの中から、取得した放送番組のスクランブルを解除できるＥＣＭを取得する。ステップＳ１８では、ステップＳ１１で取得した放送番組のスクランブルをステップＳ１７で取得したＥＣＭに含まれている鍵データにより解除する。ステップＳ１９では、ステップＳ１８でスクランブルを解除した放送番組をＡＶ機器出力手段６により図示しない映像表示装置へと出力する。
【産業上の利用可能性】
【００３０】
本発明のデジタル放送受信機は、メディアの種別を意識することなく視聴者が一元的に有料番組の購入が可能なデジタル放送受信機の提供と、スクランブルの暗号システムの安全性を有し、電波やネットワーク等の多用なメディアの放送番組を視聴する際に使用する著作権保護情報を一元的に扱うことのできるデジタル放送受信機等として有用である。
【図面の簡単な説明】
【００３１】
【図１】本発明の第１の実施例におけるデジタル放送受信機のブロック構成図
【図２】本発明の第１の実施例におけるデジタル放送受信機の電波を介した放送番組のスクランブル解除の処理の流れを示すフローチャート
【図３】本発明の第１の実施例におけるデジタル放送受信機のネットワークを介した放送番組のスクランブル解除の処理の流れを示すフローチャート
【図４】本発明の第１の実施例におけるデジタル放送受信機の履歴管理情報の一例を示す図
【符号の説明】
【００３２】
１    デジタル放送受信機
２    電波放送チューナ
３    ネットワーク通信手段
４    ネットワーク放送受信手段
５    制御手段
６    ＡＶ機器出力手段
７    スクランブル解除手段
８    購入履歴管理手段
【図１】
2006041981.tif 000003
【図２】
2006041981.tif 000004
【図３】
2006041981.tif 000005
【図４】
2006041981.tif 000006